(57)【要約】【課題】ライトアングルタイプのコネクタであって、より簡単に組立て可能なコネクタを提供すること。【解決手段】コネクタは、第１コンタクトと、ハウジングと、前記ハウジングとは別体の整列部材とを備えている。第１コンタクトは、接触部と端子部とを有している。接触部は、第１方向に沿って延びるようにしてハウジングに保持されている。端子部は、第１方向と交差する第２方向に沿って延びるように折り曲げられた状態で整列部材に保持されている。ハウジング及び整列部材には、被係合部及び係合部が夫々設けられている。係合部及び被係合部は、折り曲げられた端子部の復元力により、第２方向と交差する方向に係合している。整列部材は、係合部と被係合部との係合により、ハウジングに保持されている。【選択図】図３
2013258046.tif 000002
【特許請求の範囲】
【請求項１】
第１コンタクトと、ハウジングと、前記ハウジングとは別体の整列部材とを備えるコネクタであって、
前記第１コンタクトは、接触部と端子部とを有しており、
前記ハウジングは、前記第１コンタクトの前記接触部を第１方向に沿って延びるようにして保持しており、前記ハウジングには被係合部が設けられており、
前記整列部材は、前記第１コンタクトの前記端子部を前記第１方向と交差する第２方向に沿って延びるようにして保持しており、前記整列部材には係合部が設けられており、
前記係合部と前記被係合部とが前記第２方向と交差する方向に係合することによって、前記整列部材が前記ハウジングに保持されると共に、前記第１コンタクトの前記端子部が前記第２方向に沿って延びるように折り曲げられる
コネクタ。
【請求項２】
請求項１記載のコネクタであって、
前記被係合部は、前記係合部と、前記第２方向と直交する方向に係合している
コネクタ。
【請求項３】
請求項１又は請求項２記載のコネクタであって、
前記被係合部と前記係合部とは面接触している
コネクタ。
【請求項４】
請求項１乃至請求項３のいずれかに記載のコネクタであって、
前記第１コンタクトは、前記ハウジング及び前記整列部材にインサート成型されている
コネクタ。
【請求項５】
請求項１乃至請求項４のいずれかに記載のコネクタであって、
前記第１コンタクトを複数備えており、
前記整列部材は、複数の前記第１コンタクトを、前記第１方向及び前記第２方向によって規定される平面と直交する方向に整列保持している
コネクタ。
【請求項６】
請求項１乃至請求項５のいずれかに記載のコネクタであって、
前記第２方向は前記第１方向と直交している
コネクタ。
【請求項７】
請求項１乃至請求項６のいずれかに記載のコネクタであって、
第２コンタクトを更に備えており、
前記第２コンタクトは、接触部と端子部とを有しており、
前記第２コンタクトの前記接触部は、前記第１コンタクトの前記接触部と平行に延びるようにして前記ハウジングに保持されており、
前記第２コンタクトの前記端子部は、前記第１コンタクトの前記端子部と平行に延びるようにして前記ハウジングに保持されている
コネクタ。
【請求項８】
請求項１乃至請求項７のいずれかに記載のコネクタであって、
ＵＳＢ３．０規格に準拠している
コネクタ。
【請求項９】
複数の第１コンタクトと、ハウジングと、前記ハウジングとは別体の整列部材とを備えるコネクタの製造方法であって、
接触部と端子部とを有するようにして第１方向に延びる金属片であって、前記第１方向と直交する整列方向に整列された複数の前記金属片を備える金属部材を準備する、準備工程と、
前記金属片の前記接触部を前記ハウジングによって保持し、前記金属片の前記端子部を前記整列部材によって保持する、金属片保持工程と、
前記ハウジング及び前記整列部材によって保持された前記金属片を、前記端子部が前記第１方向と交差する第２方向に延びるように折り曲げて、これにより前記第１コンタクトを形成すると共に前記整列部材を前記ハウジングに係合し保持させる整列部材保持工程とを備える
コネクタ製造方法。
【請求項１０】
請求項９記載のコネクタ製造方法であって、
前記金属片保持工程において、前記金属片は、前記ハウジング及び前記整列部材にインサート成型され、これにより前記ハウジング及び前記整列部材が共通の金型によって同時に形成される
コネクタ製造方法。
【発明の詳細な説明】
【技術分野】
【０００１】
本発明は、ライトアングルタイプのコネクタに関する。
【背景技術】
【０００２】
例えば、特許文献１及び特許文献２に開示されているように、このタイプのコネクタは、互いに交差するように折り曲げられた接触部と接続部とを有するコンタクトを備えている。
【０００３】
特許文献１に開示されたＵＳＢレセプタクル（コネクタ）は、レセプタクルハウジング（ハウジング）と、スペーサ（ロケータ）と、レセプタクルコンタクト（コンタクト）とを備えている（図１７参照）。レセプタクルコンタクトは、互いに直交するように折り曲げられた接触部と端子部とを有している。接触部はレセプタクルハウジングに保持されており、端子部はスペーサによって位置決めされている。
【０００４】
特許文献２に開示されたコネクタは、ハウジングと、補正部材（ロケータ）と、端子（コンタクト）とを備えている（図１８参照）。端子は、互いに交差するように緩やかに折り曲げられた端子リード（接触部）と弾性接着部（端子部）とを有している。端子は補正部材によって保持され且つ位置決めされている。ハウジング及び補正部材は基板に夫々固定される。
【先行技術文献】
【特許文献】
【０００５】
【特許文献１】米国特許第７９４６８９３号明細書
【特許文献２】特許第２５４４９７７号公報
【発明の概要】
【発明が解決しようとする課題】
【０００６】
特許文献１及び特許文献２のコネクタを組立てる際、コンタクトの端子部をロケータに形成された孔部に挿入する必要がある。特に、特許文献１のコネクタのようにコンタクトが複数の列に配置される場合、端子部をロケータの孔部に挿入する前に、コンタクトを折り曲げる必要がある。しかしながら、コンタクトを折り曲げる際に、端子部の先端位置がずれやすい。このため複数の列に配置されたコンタクトの端子部をロケータに同時に挿入するのは容易ではない。特許文献２のコネクタにおいては、コンタクトの端子部が一列に配置されているため、特許文献１のコネクタに比べれば、端子部を容易にロケータに挿入することができる。しかしながら、コネクタを組立てるためには、ロケータをハウジングとは別に基板に取り付ける必要がある。以上の説明から理解されるように、特許文献１及び特許文献２のコネクタは、組立てる際に手間がかかる。
【０００７】
そこで、本発明は、ライトアングルタイプのコネクタであって、より簡単に組立て可能なコネクタを提供することを目的とする。
【課題を解決するための手段】
【０００８】
本発明は、第１のコネクタとして、
第１コンタクトと、ハウジングと、前記ハウジングとは別体の整列部材とを備えるコネクタであって、
前記第１コンタクトは、接触部と端子部とを有しており、
前記ハウジングは、前記第１コンタクトの前記接触部を第１方向に沿って延びるようにして保持しており、前記ハウジングには被係合部が設けられており、
前記整列部材は、前記第１コンタクトの前記端子部を前記第１方向と交差する第２方向に沿って延びるようにして保持しており、前記整列部材には係合部が設けられており、
前記係合部と前記被係合部とが前記第２方向と交差する方向に係合することによって、前記整列部材が前記ハウジングに保持されると共に、前記第１コンタクトの前記端子部が前記第２方向に沿って延びるように折り曲げられる
コネクタを提供する。
【０００９】
また、本発明は、第２のコネクタとして、第１のコネクタであって、
前記被係合部は、前記係合部と、前記第２方向と直交する方向に係合している
コネクタを提供する。
【００１０】
また、本発明は、第３のコネクタとして、第１又は第２のコネクタであって、
前記被係合部と前記係合部とは面接触している
コネクタを提供する。
【００１１】
また、本発明は、第４のコネクタとして、第１乃至第３のコネクタのいずれかであって、
前記第１コンタクトは、前記ハウジング及び前記整列部材にインサート成型されている
コネクタを提供する。
【００１２】
また、本発明は、第５のコネクタとして、第１乃至第４のコネクタのいずれかであって、
前記第１コンタクトを複数備えており、
前記整列部材は、複数の前記第１コンタクトを、前記第１方向及び前記第２方向によって規定される平面と直交する方向に整列保持している
コネクタを提供する。
【００１３】
また、本発明は、第６のコネクタとして、第１乃至第５のコネクタのいずれかであって、
前記第２方向は前記第１方向と直交している
コネクタを提供する。
【００１４】
また、本発明は、第７のコネクタとして、第１乃至第６のコネクタのいずれかであって、
第２コンタクトを更に備えており、
前記第２コンタクトは、接触部と端子部とを有しており、
前記第２コンタクトの前記接触部は、前記第１コンタクトの前記接触部と平行に延びるようにして前記ハウジングに保持されており、
前記第２コンタクトの前記端子部は、前記第１コンタクトの前記端子部と平行に延びるようにして前記ハウジングに保持されている
コネクタを提供する。
【００１５】
また、本発明は、第８のコネクタとして、第１乃至第７のコネクタのいずれかであって、
ＵＳＢ３．０規格に準拠している
コネクタを提供する。
【００１６】
また、本発明は、第１のコネクタ製造方法として、
複数の第１コンタクトと、ハウジングと、前記ハウジングとは別体の整列部材とを備えるコネクタの製造方法であって、
接触部と端子部とを有するようにして第１方向に延びる金属片であって、前記第１方向と直交する整列方向に整列された複数の前記金属片を備える金属部材を準備する、準備工程と、
前記金属片の前記接触部を前記ハウジングによって保持し、前記金属片の前記端子部を前記整列部材によって保持する、金属片保持工程と、
前記ハウジング及び前記整列部材によって保持された前記金属片を、前記端子部が前記第１方向と交差する第２方向に延びるように折り曲げて、これにより前記第１コンタクトを形成すると共に前記整列部材を前記ハウジングに係合し保持させる整列部材保持工程とを備える
コネクタ製造方法を提供する。
【００１７】
また、本発明は、第２のコネクタ製造方法として、第１のコネクタ製造方法であって、
前記金属片保持工程において、前記金属片は、前記ハウジング及び前記整列部材にインサート成型され、これにより前記ハウジング及び前記整列部材が共通の金型によって同時に形成される
コネクタ製造方法を提供する。
【発明の効果】
【００１８】
本発明によれば、接触部がハウジングに保持され、端子部が整列部材に保持されたコンタクトを折り曲げることによって、コネクタが組立てられる。換言すれば、コンタクトを折り曲げる前に、接触部がハウジングに保持されており、端子部が整列部材に保持されている。このため、コネクタを、より簡単に組立てることができる。
【図面の簡単な説明】
【００１９】
【図１】本発明の実施の形態によるコネクタを示す斜視図である。
【図２】図１のコネクタを示す正面図である。
【図３】図１のコネクタを示す背面図である。ここで、コネクタの整列部材のうちコネクタのハウジングによって隠された部位を破線で表示している。
【図４】図１のコネクタを示す底面図である。
【図５】図４のコネクタの整列部材の係合部近傍及びハウジングのロック部近傍（破線Ａで表示した部分）を部分的に拡大して示す底面図である。ここで、整列部材の当接部がロック部と当接した際の整列部材の外形を２点鎖線で表示している。
【図６】図４のコネクタの整列部材を拡大して示す斜視図である。
【図７】図６の整列部材を示す上面図である。
【図８】図６の整列部材の変形例を示す斜視図である。
【図９】図４のコネクタの第１コンタクトを形成する金属片と、金属片を備えた金属部材とを模式的に示す上面図である。
【図１０】図４のコネクタのハウジング及び整列部材と、ハウジング及び整列部材に保持された金属片とからなる第１中間体を示す側面図である。ここで、金属片が折り曲げられる途中の整列部材及び金属片を２点鎖線で表示している。
【図１１】図１０の第１中間体から金属片を折り曲げることによって形成した第２中間体と、第２中間体に取り付けられる第２コンタクトとを示す側面図である。ここで、第２中間体に取り付けられた際の第２コンタクトを２点鎖線で表示している。
【図１２】図１１の第２中間体及び第２コンタクトを示す背面図である。
【図１３】図１１の第２中間体に第２コンタクトを取り付けて形成した第３中間体を示す斜視図である。
【図１４】図１３の第３中間体を示す正面図である。
【図１５】図１３の第３中間体を示す側面図である。ここで、ハウジングに設けられた窪み及び保持溝の位置を破線で模式的に示している。
【図１６】図１３の第３中間体と第３中間体に取り付けられるシェルとを示す斜視図である。
【図１７】従来のコネクタの一例を示す斜視図である。
【図１８】従来のコネクタの他の一例を示す斜視図である。
【発明を実施するための形態】
【００２０】
図１乃至図４から理解されるように、本発明の実施の形態によるコネクタ１０は、Ｚ方向（上下方向、第２方向）に沿って基板（図示せず）に取り付けられるライトアングルタイプのコネクタである。コネクタ１０は、相手側コネクタ（図示せず）とＸ方向（前後方向、第１方向）に沿って嵌合し接続可能である。詳しくは、コネクタ１０は、Ｘ方向において前端１０ｆ及び後端１０ｒを有している。相手側コネクタ（図示せず）は、前端１０ｆから後端１０ｒに向かって（即ち、後方に向かって）、コネクタ１０に挿入される。
【００２１】
図１乃至図４に示されるように、本実施の形態によるコネクタ１０は、金属製の複数の第１コンタクト２００と、金属製の複数の第２コンタクト３００と、絶縁性材料からなるハウジング４００と、絶縁性材料からなりハウジング４００とは別体の整列部材５００と、金属製のシェル６００とを備えている。
【００２２】
本実施の形態によるコネクタ１０は、ＵＳＢ（Universal Serial Bus）３．０規格に準拠している。詳しくは、第１コンタクト２００は、ＵＳＢ３．０接続用の５本のコンタクトであり、第２コンタクト３００は、ＵＳＢ２．０接続用の４本のコンタクトである。また、例えばハウジング４００は、ＵＳＢ３．０規格に準拠したサイズを有している。但し、本発明は、ＵＳＢ規格に準拠していないコネクタにも適用可能である。
【００２３】
図２乃至図４から理解されるように、第１コンタクト２００の夫々は、接触部２１０と、端子部２２０とを有している。接触部２１０は第１方向（本実施の形態によればＸ方向）に延びており、端子部２２０は第２方向（本実施の形態によればＺ方向）に延びている。接触部２１０は、コネクタ１０と相手側コネクタ（図示せず）とが互いに嵌合した嵌合状態において、相手側コネクタの第１相手側コンタクト（図示せず）と電気的に接続される。端子部２２０は、コネクタ１０が基板（図示せず）に搭載される際、基板の回路（図示せず）と電気的に接続される。詳しくは、端子部２２０の下端（即ち、−Ｚ側の端部）は、−Ｘ方向に延びるように折り曲げられており、これにより接続部２２４が形成されている。接続部２２４は、例えば半田付けによって基板の回路に接続し固定される。
【００２４】
図１１及び図１２に示されるように、本実施の形態による第２コンタクト３００の夫々は、Ｘ方向に延びる接触部３１０と、Ｚ方向に延びる端子部３２０とを有している。接触部３１０は、下方に（即ち、−Ｚ方向に）湾曲した接点部３１２を有している。接点部３１２は、嵌合状態において、相手側コネクタの第２相手側コンタクト（図示せず）と電気的に接続される。端子部３２０は、被圧入部３２２と接続部３２４とを有している。被圧入部３２２は、ハウジング４００に圧入されて保持される部位である。接続部３２４は、コネクタ１０が基板（図示せず）に搭載される際、例えば半田付けによって基板の回路（図示せず）に接続し固定される。
【００２５】
図１３乃至図１５に示されるように、ハウジング４００は、本体部４１０と、板状部４５０とを有している。本体部４１０は、＋Ｚ方向に（即ち、上方に）突出しており、且つ、Ｙ方向（幅方向）に長く延びている。板状部４５０は、本体部４１０の上端（即ち、＋Ｚ側の端部）近傍から前方に向かって（即ち、＋Ｘ方向に沿って）突出する矩形の平板形状を有している。
【００２６】
図４、図１４及び図１５から理解されるように、板状部４５０の下面（即ち、−Ｚ側の面）には、上方に窪んだ窪み４５２と、上方に凹んだ保持溝４５４とが形成されている。
【００２７】
本実施の形態によれば、５つの窪み４５２が、第１コンタクト２００と夫々対応するようにして、板状部４５０の前端（即ち、＋Ｘ側の端部）近傍に配置されている。窪み４５２は、Ｘ方向において同じ位置に設けられている。ハウジング４００は、第１コンタクト２００の接触部２１０をＸ方向（第１方向）に沿って延びるようにして板状部４５０の内部に保持しており、接触部２１０の先端は、窪み４５２の内部に露出している。
【００２８】
図４及び図１５から理解されるように、本実施の形態によれば、４つの保持溝４５４が、第２コンタクト３００と夫々対応するようにして設けられている。保持溝４５４は、板状部４５０の後端（即ち、−Ｘ側の端部）近傍から窪み４５２の手前まで＋Ｘ方向に沿って延びている。換言すれば、保持溝４５４は、Ｘ方向において窪み４５２の後方に位置している。第２コンタクト３００の接触部３１０は、第１コンタクト２００の接触部２１０と平行に延びるようにしてハウジング４００の保持溝４５４に保持されている。第２コンタクト３００の接点部３１２は、板状部４５０の下面から下方に突出している。
【００２９】
図１３乃至図１５に示されるように、ハウジング４００の本体部４１０は、保持部４２０と、２つの側部４３０とを有している。側部４３０は、本体部４１０のＹ方向における両端部に夫々形成されている。換言すれば、保持部４２０は、Ｙ方向において２つの側部４３０の間に位置している。
【００３０】
図３及び図４に示されるように、保持部４２０は、側部４３０の後端よりも前方に位置しており、これにより保持部４２０の後方には、受容部４４０が形成されている。換言すれば、本実施の形態による受容部４４０は、保持部４２０と２つの側部４３０によって囲まれた空間である。受容部４４０には、整列部材５００が受容されている。
【００３１】
図４、図６及び図７に示されるように、本実施の形態による整列部材５００は、Ｙ方向に長く延びる平板形状を有している。詳しくは、整列部材５００は、矩形の平板形状を有するコンタクト保持部５１０と、コンタクト保持部５１０のＹ方向における両端部に夫々形成された２つの突出部５２０とから構成されている。
【００３２】
コンタクト保持部５１０は、５つの第１コンタクト２００の端子部２２０を（即ち、第１コンタクト２００を）、Ｙ方向に沿って１列に並ぶように整列保持している。換言すれば、端子部２２０は、整列部材５００に固定されている。従って、整列部材５００を位置決めすることで、端子部２２０を位置決めすることができる。
【００３３】
整列部材５００には、当接部５２２（被当接部４３９に当たり接する部分）及び係合部５２４が設けられている。詳しくは、突出部５２０は、コンタクト保持部５１０からＹ方向外側に夫々突出しており、これにより突出部５２０の後端には係合部５２４が形成されている。本実施の形態による係合部５２４は、Ｘ方向と直交する平面である。突出部５２０の前端は、コンタクト保持部５１０の前端と共に面取りされており、これにより当接部５２２が形成されている。本実施の形態による当接部５２２は、Ｘ方向及びＹ方向の双方と斜交する平面である。当接部５２２が上述のように設けられていることから、整列部材５００の前端の幅（即ち、Ｙ方向におけるサイズ）は、後端の幅よりも小さい。
【００３４】
図３乃至図５から理解されるように、側部４３０のうち受容部４４０に面した側は、部分的に切欠かれており、これにより側部４３０にはロック部４３６が形成されている。ロック部４３６は、側部４３０から受容部４４０の内部に向かって突出しており、これによりロック部４３６には（即ち、ハウジング４００には）、被係合部４３８及び被当接部４３９（当接部５２２に当たり接する部分）が設けられている。本実施の形態による被係合部４３８及び被当接部４３９は、Ｘ方向と直交する平面である。
【００３５】
図２乃至図５及び図１０から理解されるように、整列部材５００は、ハウジング４００の外部から受容部４４０に挿入することによって受容されている。詳しくは、５つの第１コンタクト２００は、ＸＺ平面において同じ場所に位置するように整列部材５００に保持されているため（図６及び図７参照）、捩れることなくＸＺ平面と平行な方向に折り曲げることができる。換言すれば、整列部材５００がＹ方向と平行な軸を中心に回転するようにして、第１コンタクト２００を折り曲げることができる。本実施の形態によれば、第１コンタクト２００は、端子部２２０がＺ方向に沿って延びるように折り曲げられており、これにより整列部材５００は受容部４４０に挿入されている。整列部材５００が受容部４４０に受容された状態において、第１コンタクト２００は、整列部材５００によって、第１方向（即ち、接触部２１０が延びる方向）及び第２方向（即ち、端子部２２０が延びる方向）によって規定される平面（本実施の形態によればＸＺ平面）と直交する方向に整列保持されている。
【００３６】
図３乃至図５から理解されるように、係合部５２４は被係合部４３８とＸ方向（即ち、第２方向と直交する方向）に係合している。詳しくは、整列部材５００は、折り曲げられた端子部２２０から復元力を受けている。本実施の形態によれば、整列部材５００は−Ｘ方向に沿った復元力を受け、これにより係合部５２４は被係合部４３８に押し付けられている。即ち、係合部５２４と被係合部４３８との係合により整列部材５００がハウジング４００に保持されており、且つ、Ｘ方向において位置決めされている。このとき、整列部材５００は、２つのロック部４３６の間に挟まれており、これにより整列部材５００は、Ｙ方向においても位置決めされている。
【００３７】
本実施の形態によれば、平面形状に夫々形成された係合部５２４と被係合部４３８とが面接触しており、これにより係合部５２４と被係合部４３８とは、より確実に係合している（即ち、整列部材５００がより確実に位置決めされている）。但し、係合部５２４と被係合部４３８とは、面接触していなくてもよい。例えば、係合部５２４又は被係合部４３８を、凹凸を有する面状に形成してもよい。
【００３８】
更に、本実施の形態によれば、端子部２２０が延びる方向（第２方向）は接触部２１０が延びる方向（第１方向）と直交しており、且つ、係合部５２４と被係合部４３８とは、第２方向と直交する方向に係合している。但し、第２方向は第１方向と交差していればよい。また、係合部５２４と被係合部４３８とは、第２方向と交差する方向に係合していればよい。換言すれば、係合部５２４と被係合部４３８とが第２方向と交差する方向に係合することによって、整列部材５００がハウジング４００に保持されると共に、第１コンタクト２００の端子部２２０が第２方向に沿って延びるように折り曲げられていればよい。
【００３９】
例えば、整列部材５００ではなく、図８に示す整列部材５００′がハウジング４００に保持されていてもよい（図４参照）。整列部材５００′は、整列部材５００と同様のコンタクト保持部５１０と、整列部材５００とはやや異なる突出部５２０′とを有している。より具体的には、突出部５２０′には、当接部５２２と係合部５２４′とが形成されている。係合部５２４′は、係合部５２４と異なり、Ｘ方向及びＺ方向の双方と斜交する平面である。
【００４０】
図５、図８及び図１０から理解されるように、整列部材５００′が受容部４４０に受容されると、端子部２２０は斜め下方に延び（即ち、接触部２１０が延びる第１方向と斜交する第２方向に沿って延び）、係合部５２４′及び被係合部４３８はＸ方向に係合する。即ち、係合部５２４′及び被係合部４３８は、端子部２２０が延びる方向（第２方向）と斜交する方向に係合する。
【００４１】
また、係合部５２４′を斜めに形成するのではなく、ハウジング４００に被係合部４３８を変形した変形被係合部（図示せず）を設けてもよい。より具体的には、変形被係合部を、Ｘ方向及びＺ方向の双方と斜交する平面状に形成すればよい。この場合、整列部材５００が受容部４４０に受容されると、端子部２２０は斜め下方に延び（即ち、第２方向に延び）、係合部５２４及び変形被係合部は第２方向と直交する方向に係合する。このとき、係合部５２４及び変形被係合部は、接触部２１０が延びる方向（第１方向）と斜交する方向に係合している。
【００４２】
図５に示されるように、整列部材５００を受容部４４０に挿入する際、当接部５２２は被当接部４３９の縁に当たり接する。整列部材５００を＋Ｘ方向に押し続けると、ロック部４３６はＹ方向外側に押されて変形し、これにより整列部材５００は、受容部４４０に受容される。ロック部４３６がＹ方向外側に開くように構成されている限り、当接部５２２及び被当接部４３９は、本実施の形態と異なるように形成されていてもよい。例えば、当接部５２２をＸ方向と直交する平面状に形成し、被当接部４３９をＸ方向及びＹ方向の双方と斜交する平面状に形成してもよい（即ち、面取りしてもよい）。また、当接部５２２及び被当接部４３９の両方を面取りしても良い。
【００４３】
図２、図４及び図１４に示されるように、保持部４２０の前端面には、第２コンタクト３００と夫々対応する４つのガイド溝４２２及び４つの圧入部４２４が形成されている。ガイド溝４２２は後方に向かって窪んだ溝であり、保持部４２０の前端面をＺ方向に延びている。圧入部４２４は、ガイド溝４２２の上端部分に設けられている。
【００４４】
図２、図４、図１１及び図１４から理解されるように、第２コンタクト３００の端子部３２０は、ガイド溝４２２にガイドされるようにして上方に向かって（即ち、＋Ｚ方向に沿って）ハウジング４００に取り付けられている。第２コンタクト３００をハウジング４００に取り付ける際、被圧入部３２２が圧入部４２４に圧入され、これにより第２コンタクト３００の端子部３２０は、第１コンタクト２００の端子部２２０と平行に延びるようにしてハウジング４００の保持部４２０に（即ち、ハウジング４００に）保持される。
【００４５】
図１３乃至図１５に示されるように、側部４３０の夫々には、凸部４３２及び凹部４３４が更に形成されている。凸部４３２及び凹部４３４は、側部４３０のＹ方向外側の端面に形成されている。凸部４３２は、Ｙ方向外側に突出しており、凹部４３４は、Ｙ方向内側に凹んでいる。
【００４６】
図１及び図１６から理解されるように、本実施の形態によるシェル６００は、１枚の金属板を切り抜き・折り曲げ加工して形成されている。詳しくは、シェル６００は、上板部６１０と底板部６２０と２つの側板部６３０とからなる平らな角筒形状を有するように形成されており、底板部６２０に金属板の継目を有している。シェル６００は、ハウジング４００の大部分を覆うようにして、ハウジング４００に取り付けられている。
【００４７】
シェル６００の側板部６３０の夫々には、切欠き６３２と固定部６３４とが形成されている。切欠き６３２は、側板部６３０の後端部分に形成されている。固定部６３４は、Ｙ方向内側に延びており、側板部６３０によってＹ方向に弾性変形可能に支持されている。
【００４８】
図１及び図２に示されるように、シェル６００の上板部６１０、底板部６２０、側板部６３０の夫々には、シェル接続部６４０が形成されている。シェル接続部６４０は、シェル６００の一部をＹ方向に延びるように切欠くことにより形成されている。シェル接続部６４０の先端はシェル６００の内部に向かって湾曲しており、シェル６００の外部に向かって弾性変位可能となるように支持されている。相手側コネクタ（図示せず）がコネクタ１０に挿入されると、シェル接続部６４０は相手側コネクタの相手側シェル（図示せず）と電気的に接続される。
【００４９】
以下、以上のように構成されたコネクタ１０の組立て方法（即ち、コネクタ製造方法）について説明する。
【００５０】
図９に示されるように、先ず準備工程において、金属板を切り抜くことで金属部材８００が準備される。本実施の形態による金属部材８００は、第１コンタクト２００を夫々構成する５つの金属片８１０を備えている。金属片８１０は、接触部８１２と端子部８１４とを有するようにしてＸ方向（第１方向）に延びている。また、金属片８１０は、Ｙ方向（第１方向と直交する方向）に整列されている。
【００５１】
次に、図１０から理解されるように、金属片保持工程により、金属片８１０のＸ方向における両端部分がハウジング４００及び整列部材５００によって夫々保持され、これにより第１中間体９１０が製造される。
【００５２】
より具体的には、金属片保持工程において、金属片８１０の接触部８１２はハウジング４００によって保持され、端子部８１４は整列部材５００によって保持される。本実施の形態によれば、金属片保持工程において、金属片８１０は、ハウジング４００及び整列部材５００にインサート成型され、これによりハウジング４００及び整列部材５００が共通の金型（図示せず）によって同時に形成される。換言すれば、本実施の形態による第１コンタクト２００は、ハウジング４００及び整列部材５００にインサート成型されている。
【００５３】
金属片保持工程において、本実施の形態と異なる方法で金属片８１０を保持させてもよい。例えば、ハウジング４００及び整列部材５００を夫々別体に成型し、金属片８１０の接触部８１２及び端子部８１４をハウジング４００及び整列部材５００に夫々挿入してもよい。但し、金属片８１０をより簡単に保持するためには、本実施の形態と同様に第１中間体９１０を製造することが好ましい。
【００５４】
次に、図１０及び図１１から理解されるように、整列部材保持工程により、整列部材５００がハウジング４００に保持され、これにより第２中間体９２０が製造される。詳しくは、整列部材保持工程において、ハウジング４００及び整列部材５００によって保持された金属片８１０は、端子部８１４がＺ方向（即ち、第１方向と交差する第２方向）に延びるように折り曲げられ、これにより第１コンタクト２００が形成される。またこのとき、整列部材５００は、前述したようにハウジング４００に係合し保持される。
【００５５】
次に、図１１乃至図１５から理解されるように、第２コンタクト保持工程により、第２コンタクト３００がハウジング４００に保持され、これにより第３中間体９３０が製造される。ここで第２コンタクト３００は、第１コンタクト２００と同様に金属板を切り抜き且つ折り曲げ加工することで形成することができる。
【００５６】
次に、図１及び図１６から理解されるように、シェル装着工程により、シェル６００が第３中間体９３０に取り付けられ、コネクタ１０が製造される。詳しくは、第３中間体９３０を＋Ｘ方向に沿ってシェル６００の内部に挿入すると、凸部４３２と切欠き６３２とが互いに係合し、これによりシェル６００が適切な位置に配置される。このとき、固定部６３４の先端が凹部４３４に挿入され、これによりシェル６００がハウジング４００に固定される。
【００５７】
以上の説明から理解されるように、本実施の形態によれば、ハウジング４００及び整列部材５００が形成されると同時に、金属片８１０（第１コンタクト２００）を適切な位置に配置させることができる。更に、整列部材５００をハウジング４００の受容部４４０に挿入するという簡単な操作を行うと同時に金属片８１０（第１コンタクト２００）を折り曲げ、第１コンタクト２００の位置決めが完了する。
【００５８】
本実施の形態によるコネクタ１０は、様々に変形することができる。例えば、第１コンタクト２００の夫々に対して整列部材を設けることもできる。より具体的には、第１コンタクト２００を夫々保持する５つの整列部材を形成すればよい。この場合、ハウジング４００にも、整列部材の夫々に対応した受容部及びロック部を設ければよい。
【００５９】
また、本実施の形態によるコネクタ１０においては、整列部材５００をハウジング４００の受容部４４０に挿入することで、第１コンタクト２００の端子部２２０を折り曲げるようにしたが、これと異なる方法で端子部２２０を折り曲げることもできる。例えば、冶具等（図示せず）を用いて端子部２２０の曲げ位置を揃えるように仮曲げを行なった後、整列部材５００をハウジング４００の受容部４４０に挿入し係合させることによって、端子部２２０の本曲げを行なうようにしても良い。
【符号の説明】
【００６０】
１０      コネクタ
１０ｆ    前端
１０ｒ    後端
２００    第１コンタクト
２１０    接触部
２２０    端子部
２２４    接続部
３００    第２コンタクト
３１０    接触部
３１２    接点部
３２０    端子部
３２２    被圧入部
３２４    接続部
４００    ハウジング
４１０    本体部
４２０    保持部
４２２    ガイド溝
４２４    圧入部
４３０    側部
４３２    凸部
４３４    凹部
４３６    ロック部
４３８    被係合部
４３９    被当接部
４４０    受容部
４５０    板状部
４５２    窪み
４５４    保持溝
５００，５００′  整列部材
５１０            コンタクト保持部
５２０，５２０′  突出部
５２２            当接部
５２４，５２４′  係合部
６００    シェル
６１０    上板部
６２０    底板部
６３０    側板部
６３２    切欠き
６３４    固定部
６４０    シェル接続部
８００    金属部材
８１０    金属片
８１２    接触部
８１４    端子部
９１０    第１中間体
９２０    第２中間体
９３０    第３中間体
【図１】
2013258046.tif 000003
【図２】
2013258046.tif 000004
【図３】
2013258046.tif 000005
【図４】
2013258046.tif 000006
【図５】
2013258046.tif 000007
【図６】
2013258046.tif 000008
【図７】
2013258046.tif 000009
【図８】
2013258046.tif 000010
【図９】
2013258046.tif 000011
【図１０】
2013258046.tif 000012
【図１１】
2013258046.tif 000013
【図１２】
2013258046.tif 000014
【図１３】
2013258046.tif 000015
【図１４】
2013258046.tif 000016
【図１５】
2013258046.tif 000017
【図１６】
2013258046.tif 000018
【図１７】
2013258046.tif 000019
【図１８】
2013258046.tif 000020